Podtech/llm-jp-corpus-v4-ja_patent huggingface dataset:
【手続補正書】
【提出日】平成27年3月18日(2015.3.18)
【手続補正１】
【補正対象書類名】特許請求の範囲
【補正対象項目名】全文
【補正方法】変更
【補正の内容】
【特許請求の範囲】
【請求項１】
ノズルに連通する加圧液室を形成する基板上に、振動板と、一般式Ｐｂ（Ｔｉｘ，Ｚｒｙ，Ｍｚ）Ｏ３で表されるペロブスカイト型結晶構造をもつ圧電体薄膜を一対の電極で挟んだ圧電素子とを積層形成したアクチュエータを用い、
駆動ＩＣを介して該圧電素子に、該加圧液室内に液滴を吐出させるための圧力変動を発生させるための駆動波形の電圧を印加し、該駆動波形と次の駆動波形との間に該圧電素子の変位特性の低下を抑制するための回復波形の電圧を印加する液滴吐出ヘッドの駆動方法において、
上記駆動ＩＣは、正負何れか一方の極性を有する電圧を出力し、上記一対の電極のうちの一方の電極にパルス形状の電圧を、他方の電極に直流電圧を印加するものであり、
上記駆動波形は、吐出させない状態に対応する第１電界を上記圧電体薄膜に生じさせる電圧部分と、吐出させる状態に対応する第２電界を該圧電体薄膜に生じさせる電圧部分とを有し、
上記回復波形における該パルス形状の電圧は、吐出させない状態に対応する第３電界を該圧電体薄膜に生じさせる電圧部分と、該他方の電極に印加する直流電圧と共に、該第１の電界と第２の電界とのうち、鉛欠陥のトラップを生じさせる電界とは逆向きの回復用電界を該圧電体薄膜に生じさせる所定時間継続の電圧部分とを有し、該所定時間は、メニスカス周期の整数倍の以外の時間であることを特徴とする液滴吐出ヘッドの駆動方法。
【請求項２】
請求項１の液滴吐出ヘッドの駆動方法において、上記回復用電界は上記圧電素子の抗電界未満であることを特徴とする液滴吐出ヘッドの駆動方法。
【請求項３】
請求項１または２の液滴吐出ヘッドの駆動方法において、上記駆動ＩＣは、上記一対の電極のうち上記基板側の電極に直流電圧を印加し、反対側の電極に上記パルス形状の電圧を印加することを特徴とする液滴吐出ヘッドの駆動方法。
【請求項４】
請求項１、２または３の何れかの液滴吐出ヘッドの駆動方法において、上記回復波形におけるパルス形状の電圧の立上り時間又は立下り時間の少なくとも何れか一方が上記メニスカス共振周期よりも長いことを特徴とする液滴吐出ヘッドの駆動方法。
【請求項５】
請求項１、２、３または４の何れかの液滴吐出ヘッドの駆動方法において、上記回復波形における上記回復用電界を生じさせるための電圧を印加する上記所定時間はメニスカス共振周期の半整数倍の時間であることを特徴とする液滴吐出ヘッドの駆動方法。
【請求項６】
請求項１、２、３、４または５の液滴吐出ヘッドの駆動方法において、上記第３電界は上記第１電界以上の大きさを有することを特徴とする液滴吐出ヘッドの駆動方法。
【請求項７】
ノズルに連通する加圧液室を形成する基板上に、振動板と、一般式Ｐｂ（Ｔｉｘ，Ｚｒｙ，Ｍｚ）Ｏ３で表されるペロブスカイト型結晶構造をもつ圧電体薄膜を一対の電極で挟んだ圧電素子とを積層形成したアクチュエータを用いた液滴吐出ヘッドにおいて、
請求項１乃至７の何れかの液滴吐出ヘッドの駆動方法により上記液滴吐出ヘッドを駆動する駆動ＩＣを備えたことを特徴とする液滴吐出ヘッド。
【請求項８】
媒体を搬送しながら、液滴吐出手段により吐出した液滴を該媒体に付着させて画像形成を行う画像形成装置において、
上記前記液滴吐出手段として請求項７の液滴体吐出ヘッドを採用したことを特徴とする画像形成装置。
【手続補正２】
【補正対象書類名】明細書
【補正対象項目名】００１１
【補正方法】変更
【補正の内容】
【００１１】
上記目的を達成するために、請求項１の発明は、ノズルに連通する加圧液室を形成する基板上に、振動板と、一般式Ｐｂ（Ｔｉｘ，Ｚｒｙ，Ｍｚ）Ｏ３で表されるペロブスカイト型結晶構造をもつ圧電体薄膜を一対の電極で挟んだ圧電素子とを積層形成したアクチュエータを用い、
駆動ＩＣを介して該圧電素子に、該加圧液室内に液滴を吐出させるための圧力変動を発生させるための駆動波形の電圧を印加し、該駆動波形と次の駆動波形との間に該圧電素子の変位特性の低下を抑制するための回復波形の電圧を印加する液滴吐出ヘッドの駆動方法において、
上記駆動ＩＣは、正負何れか一方の極性を有する電圧を出力し、上記一対の電極のうちの一方の電極にパルス形状の電圧を、他方の電極に直流電圧を印加するものであり、
上記駆動波形は、吐出させない状態に対応する第１電界を上記圧電体薄膜に生じさせる電圧部分と、吐出させる状態に対応する第２電界を該圧電体薄膜に生じさせる電圧部分とを有し、
上記回復波形における該パルス形状の電圧は、吐出させない状態に対応する第３電界を該圧電体薄膜に生じさせる電圧部分と、該他方の電極に印加する直流電圧と共に、該第１の電界と第２の電界とのうち、鉛欠陥のトラップを生じさせる電界とは逆向きの回復用電界を該圧電体薄膜に生じさせる所定時間継続の電圧部分とを有し、該所定時間は、メニスカス周期の整数倍の以外の時間であることを特徴とするものである。
【手続補正書】
【提出日】平成26年12月10日(2014.12.10)
【手続補正１】
【補正対象書類名】特許請求の範囲
【補正対象項目名】全文
【補正方法】変更
【補正の内容】
【特許請求の範囲】
【請求項１】
式Ｉ：
【化１】
2014177455.tif 000001
（式中、アスタリスクが付された炭素は、（Ｒ）または（Ｓ）配置を有することができ、Ｒ1およびＲ2は、フルオロである。）
の化合物またはその薬学的に許容される塩を含んでなる、シチジンデアミナーゼ（ＣＤＡ）を阻害するための医薬組成物。
【請求項２】
ＣＤＡによるＣＤＡ基質薬剤の分解を阻害するための、請求項１に記載の医薬組成物。
【請求項３】
前記化合物が、化合物１ａにより表される化合物またはその薬学的に許容される塩である、請求項１または２に記載の医薬組成物。
【化２】
2014177455.tif 000002
【請求項４】
前記化合物が、化合物１ａにより表される、請求項１または２に記載の医薬組成物。
【化３】
2014177455.tif 000003
【請求項５】
請求項１〜４のいずれか１項に記載の医薬組成物を含む、キット。
【請求項６】
５−アザシチジン、ゲムシタビン、アラ−Ｃ、テザシタビン、５’−フルオロ−２’−デオキシシチジン、およびシトクロルからなる群から選択されるＣＤＡ基質薬剤である第二の化合物を更に含む、請求項５に記載のキット。
【請求項７】
ＣＤＡ基質薬剤である第二の化合物を更に含み、前記ＣＤＡ基質薬剤がデシタビンではない、請求項５に記載のキット。
【請求項８】
ＣＤＡ基質薬剤である第二の化合物を更に含み、前記ＣＤＡ基質薬剤がデシタビンである、請求項５に記載のキット。
【請求項９】
前記ＣＤＡ基質薬剤が、５−アザシチジン、ゲムシタビンまたはアラ−Ｃである、請求項６または７に記載のキット。
【請求項１０】
前記式Ｉの化合物及び前記第二の化合物が別個の容器中にある、または前記式Ｉの化合物及び前記第二の化合物が単位剤形中にある、請求項６〜９のいずれか１項に記載のキット。
【請求項１１】
請求項１〜４のいずれか１項に記載の医薬組成物の単位剤形を含む、キット。
【請求項１２】
更に情報を含む、請求項５〜１１のいずれか１項に記載のキット。
【請求項１３】
ＣＤＡを阻害するための、請求項５〜１１のいずれか１項に記載のキット。
【請求項１４】
ＣＤＡによるＣＤＡ基質薬剤の分解を阻害するための、請求項５〜１１のいずれか１項に記載のキット。
【請求項１５】
癌を治療するための、請求項５〜１１のいずれか１項に記載のキット。
【手続補正書】
【提出日】平成27年3月18日(2015.3.18)
【手続補正１】
【補正対象書類名】特許請求の範囲
【補正対象項目名】全文
【補正方法】変更
【補正の内容】
【特許請求の範囲】
【請求項１】
０．５ｎｇ〜２０００ｎｇのデスモプレシンを鼻腔内投与によって投薬する投薬単位中にデスモプレシンおよび薬学上許容される担体を含んでなる、一次性夜間遺尿症もしくは尿失禁の治療もしくは予防における使用のための、または排尿延期を誘導するための医薬組成物。
【請求項２】
患者に投与されるときに、血漿／血清１ｍＬ当たりデスモプレシン０．１ピコグラムから血漿／血清１ｍＬ当たり最大でデスモプレシン１０．０ピコグラムまでの範囲の定常的な血漿／血清中デスモプレシン濃度を確立して尿産生を減少させるものであり、０．５ｎｇ〜２０μｇのデスモプレシン及び鼻腔内、舌下、頬側、経粘膜、経皮、又は皮内投与用に構成された薬学上許容される担体を含んでなる、尿失禁もしくは一次性夜間遺尿症の治療もしくは予防のための、または排尿延期を誘導するための医薬剤形。
【請求項３】
０．５ｎｇから１０μｇのデスモプレシンを含む、請求項２に記載の医薬剤形。
【請求項４】
０．５ｎｇ〜２０００ｎｇのデスモプレシンを含む、請求項２に記載の医薬剤形。
【請求項５】
患者に投与されるときに、血漿／血清１ｍＬ当たりデスモプレシン０．５ピコグラムから血漿／血清１ｍＬ当たりデスモプレシン５．０ピコグラムまでの定常的な血漿／血清中デスモプレシン濃度を確立する、請求項２〜４いずれかに記載の医薬剤形。
【請求項６】
０．５ｎｇ〜２０μｇのデスモプレシン及び鼻腔内、舌下、頬側、経粘膜、経皮、又は皮内投与用に構成された薬学上許容される担体を含んでなり、定常的な血漿／血清中デスモプレシン濃度を０．５ｐｇ／ｍｌから最大で１０．０ｐｇ／ｍｌまでの範囲で確立して、尿産生を減少させることにおいて使用するための、尿失禁もしくは一次性夜間遺尿症の治療用もしくは予防用の、または排尿延期の誘導用の医薬組成物。
【請求項７】
前記定常的な血漿／血清中デスモプレシン濃度が、５ｐｇ／ｍｌ以下のレベルで維持される、請求項６に記載の医薬組成物。
【請求項８】
０．５ｎｇ〜６００μｇのデスモプレシンを鼻腔内投与によって投薬する投薬単位中にデスモプレシンおよび薬学上許容される担体を含んでなる、一次性夜間遺尿症もしくは尿失禁の治療もしくは予防における使用のための、または排尿延期を誘導するための医薬組成物。
【手続補正書】
【提出日】平成26年11月13日(2014.11.13)
【手続補正１】
【補正対象書類名】明細書
【補正対象項目名】００１７
【補正方法】変更
【補正の内容】
【００１７】
（１）本発明はエアバッグ装置であって、インフレータと、インフレータから発生するガスにより膨張する乗員側パネル及びインフレータ側パネルで構成されるエアバッグと、エアバッグを折り畳み収納状態に保持し、少なくともエアバッグの展開初期にインフレータから発生するガスによるエアバッグの側面方向の膨張・展開を抑制する保持部材と、インフレータから発生するガスを前記展開初期に膨張する前記乗員側パネルの部分に導くガス整流部材と、を備え、前記保持部材には前記展開初期に前記乗員側パネルが膨張する部分に対応する位置に開口部が設けられ、前記インフレータ側パネルはエアバッグの中心軸線に沿って折り畳まれ、かつ前記乗員側パネルは折り畳まれた前記インフレータ側パネルのその外側を覆うように、エアバッグの中心軸線に沿って折り畳まれていることを特徴とする。
（２）本発明は、前記（１）に記載されたエアバッグ装置におけるエアバッグの折り畳み方法であって、前記インフレータ側パネルの中央部を折り畳みテーブルに固定した状態で乗員側パネル中央部を所定量上昇させる工程と、前記乗員側パネルを前記インフレータ側パネルの周りで山折りして前記インフレータ側パネルの外側に配置する工程と、前記山折りした乗員側パネルとインフレータ側パネルとをそれぞれ前記折り畳みテーブルに向けて圧縮させ、エアバッグの中心軸線に沿って折り畳む工程と、を有することを特徴とする。
【手続補正２】
【補正対象書類名】特許請求の範囲
【補正対象項目名】全文
【補正方法】変更
【補正の内容】
【特許請求の範囲】
【請求項１】
インフレータと、インフレータから発生するガスにより膨張する乗員側パネル及びインフレータ側パネルで構成されるエアバッグと、エアバッグを折り畳み収納状態に保持し、少なくともエアバッグの展開初期にインフレータから発生するガスによるエアバッグの側面方向の膨張・展開を抑制する保持部材と、インフレータから発生するガスを前記展開初期に膨張する前記乗員側パネルの部分に導くガス整流部材と、
を備え、
前記保持部材には前記展開初期に前記乗員側パネルが膨張する部分に対応する位置に開口部が設けられ、
前記インフレータ側パネルはエアバッグの中心軸線に沿って折り畳まれ、かつ前記乗員側パネルは折り畳まれた前記インフレータ側パネルのその外側を覆うように、エアバッグの中心軸線に沿って折り畳まれていることを特徴とするエアバッグ装置。
【請求項２】
請求項１に記載されたエアバッグ装置であって、
前記開口部は前記乗員側パネルの中央部に対向して配置され、前記保持部材の裏面にエアバッグの乗員側パネルの外周縁部が配置されていることを特徴とするエアバッグ装置。
【請求項３】
請求項１又は２に記載されたエアバッグ装置において、
前記インフレータ側パネル及び前記ガス整流部材は、前記インフレータの周りで折り畳まれていることを特徴とするエアバッグ装置。
【請求項４】
請求項１に記載されたエアバッグ装置におけるエアバッグの折り畳み方法であって、
前記インフレータ側パネルの中央部を折り畳みテーブルに固定した状態で乗員側パネル中央部を所定量上昇させる工程と、
前記乗員側パネルを前記インフレータ側パネルの周りで山折りして前記インフレータ側パネルの外側に配置する工程と、
前記山折りした乗員側パネルとインフレータ側パネルとをそれぞれ前記折り畳みテーブルに向けて圧縮させ、エアバッグの中心軸線に沿って折り畳む工程と、
を有することを特徴とするエアバッグの折り畳み方法。
【請求項５】
請求項４に記載されたエアバッグの折り畳み方法であって、
前記山折り位置を、乗員側パネルとインフレータ側パネルとの接合部にしたことを特徴とするエアバッグの折り畳み方法。
【請求項６】
請求項４又は５に記載されたエアバッグの折り畳み方法であって、
前記ガス整流部材と前記インフレータ側パネルとを前記インフレータの周りでエアバッグの中心軸線に沿って折り畳むことを特徴とするエアバッグの折り畳み方法。
【手続補正書】
【提出日】平成27年10月14日(2015.10.14)
【手続補正１】
【補正対象書類名】特許請求の範囲
【補正対象項目名】全文
【補正方法】変更
【補正の内容】
【特許請求の範囲】
【請求項１】
相転移インクジェットプリンタに用いるための受像部材であって、
第１端部および第２端部を有する円筒型の壁であって、前記第１端部と前記第２端部との間の長さと、相転移インク画像を受け取って運搬するように構成された外表面および当該受像部材の内部空間を画定する内表面を形成する厚みとを有する円筒型の壁と、
前記円筒型の壁の前記内表面の少なくとも一部分に固定的に係合され、当該受像部材の前記内部空間に位置付けられ、前記円筒型の壁の長さよりも短い長さを有する第１環状支持部材であって、前記円筒型の壁の前記内表面に形成された溝に挿入されており、前記溝に挿入された状態で互いに固められたＣ型の圧縮性の第１輪およびＣ型の圧縮性の第２輪を含み、前記Ｃ型の圧縮性の第１輪の開口部は、前記Ｃ型の圧縮性の第２輪の開口部が隣接する前記内部空間の側面の直径上の反対側に位置する前記内部空間の側面に隣接して位置付けされている、第１環状支持部材と、
前記第１環状支持部材と前記円筒型の壁の前記第１端部との間に位置付けられ、前記円筒型の壁の前記内表面に固定して係合されている、第２環状支持部材と、
前記第１環状支持部材と前記円筒型の壁の前記第２端部との間に位置付けられ、前記円筒型の壁の前記内表面に固定して係合されている、第３環状支持部材と、
前記円筒型の壁の前記内部空間の中に位置付けられている加熱器であって、当該加熱器が発生した熱を前記円筒型の壁の前記内表面の方へ向けることができる位置に位置付けられている加熱器と、
を含む、受像部材。
【請求項２】
前記第１環状支持部材は、前記円筒型の壁の前記第１端部および前記円筒型の壁の前記第２端部の間でこれら両方から実質的に等距離の位置に配置される、請求項１に記載の受像部材。
【請求項３】
前記円筒型の壁の前記第１端部に位置付けられた第１支持部材と、前記円筒型の壁の前記第２端部に位置付けられた第２支持部材とをさらに含む、請求項１に記載の受像部材。
【請求項４】
相転移インク画像を受け取って運搬するように構成された外表面と、内部空間を画定する内表面とを有する円筒型の壁を有するインク受け取り部材であって、前記円筒型の壁が第１端部および第２端部を有する、インク受け取り部材と、
前記円筒型の壁の前記内部空間の中に位置付けられ、前記円筒型の壁の前記第１端部と前記第２端部との間に配置されて前記円筒型の壁の前記内表面に固定的に係合されている複数の環状支持部材であって、そのうちの少なくとも１つの環状支持部材が、前記円筒型の壁の前記内表面に形成された溝に挿入されており、前記溝に挿入された状態で互いに固められたＣ型の圧縮性の第１輪およびＣ型の圧縮性の第２輪をさらに含み、前記Ｃ型の圧縮性の第１輪の開口部は、前記Ｃ型の圧縮性の第２輪の開口部が隣接する前記内部空間の側面の直径上の反対側に位置する前記内部空間の側面に隣接して位置付けされている、複数の環状支持部材と、
前記円筒型の壁の前記内部空間の中に位置付けられている加熱器であって、当該加熱器が発生した熱を前記円筒型の壁の前記内表面の方へ向けることができる位置に位置付けられている加熱器と、
前記インク受け取り部材の前記円筒型の壁の前記外表面と係合するように動くよう構成された転写定着ローラと、
を含み、
前記転写定着ローラは、
外表面、第１端部および第２端部を有する第２円筒型の壁と、
前記第２円筒型の壁の前記外表面に形成された被覆部と、
を含み、前記被覆部は、前記第２円筒型の壁の前記第１端部と前記第２端部とからほぼ等距離の位置において第１の厚みを有し、前記第２円筒型の壁の前記第１端部および前記第２端部において第２の厚みを有し、前記第１の厚みは前記第２の厚みよりも大きい、
インク画像受領転写機器。
【請求項５】
前記複数の環状支持部材のそれぞれは、前記複数の環状支持部材の中の次の環状支持部材から所定の距離に位置付けられている、請求項４に記載のインク画像受領転写機器。
【請求項６】
前記円筒型の壁の前記第１端部に位置付けられた第１支持部材と、前記円筒型の壁の前記第２端部に位置付けられた第２支持部材とをさらに含む、請求項４に記載のインク画像受領転写機器。
【請求項７】
円筒型の壁を有する受像部材であって、前記円筒型の壁が、相転移インク画像を受け取って運搬するように構成された外表面と、当該受像部材の内部空間を画定する内表面とを備える、受像部材と、
前記円筒型の壁の前記内部空間の中に位置付けられ、前記円筒型の壁の前記内表面に固定的に係合されている環状支持部材であって、前記円筒型の壁の前記内表面に形成された溝に挿入されており、前記溝に挿入された状態で互いに固められたＣ型の圧縮性の第１輪およびＣ型の圧縮性の第２輪をさらに含み、前記Ｃ型の圧縮性の第１輪の開口部は、前記Ｃ型の圧縮性の第２輪の開口部が隣接する前記内部空間の側面の直径上の反対側に位置する前記内部空間の側面に隣接して位置付けされている、環状支持部材と、
前記円筒型の壁の前記内部空間の中に位置付けられている加熱器であって、当該加熱器によって発生した熱を前記円筒型の壁の前記内表面の方へ向けることができる位置に位置付けられた加熱器と、
前記受像部材の前記円筒型の壁の前記外表面と係合するように動くよう構成された転写定着ローラと、
を含み、
前記転写定着ローラは、
外表面、第１端部および第２端部を有する第２円筒型の壁と、
前記第２円筒型の壁の前記外表面に形成された被覆部と、
を含み、前記被覆部は、第１位置および第２位置において第１の厚みを有し、前記第１端部、前記第２端部および前記第２円筒型の壁の中央部外周領域において第２の厚みを有し、前記第１位置は、前記第２円筒型の壁の前記第１端部と前記第２円筒型の壁の中央部外周面領域との間の位置であり、前記第２位置は、前記第２円筒型の壁の前記第２端部と前記第２円筒型の壁の前記中央部外周面領域との間の位置であり、前記第１の厚みは前記第２の厚みよりも大きい、
インク画像受領転写機器。
【請求項８】
前記円筒型の壁の第１端部に位置付けられた第１支持部材と、前記円筒型の壁の第２端部に位置付けられた第２支持部材とをさらに含む、請求項７に記載のインク画像受領転写機器。
【請求項９】
前記環状支持部材は、前記円筒型の壁の第１端部と前記円筒型の壁の前記第２端部との間でこれら両方から実質的に等距離に配置される、請求項７に記載のインク画像受領転写機器。
【請求項１０】
前記転写定着ローラの前記被覆部がほぼポリウレタンから構成されている、請求項４または８に記載のインク画像受領転写機器。
【手続補正書】
【提出日】平成27年10月21日(2015.10.21)
【手続補正１】
【補正対象書類名】特許請求の範囲
【補正対象項目名】全文
【補正方法】変更
【補正の内容】
【特許請求の範囲】
【請求項１】
熱可塑性ポリイミド／ポリベンズイミダゾールブレンドを含み、４０００ＭＰａより大きいヤング弾性率、及び４００℃より高い分解開始温度を有する基材層と、
前記基材層上に配置された中間層と、
前記中間層上に配置された剥離層と、を備えるフューザー部材。
【請求項２】
前記熱可塑性ポリイミドが、以下の構造
【化１】
2013103500.tif 000001
によってあらわされ、式中、Ｒは、約６〜約３６個の炭素原子を含むアリールであり、ｎは、約５０〜約２，０００の繰り返し単位の数である、請求項１に記載のフューザー部材。
【請求項３】
前記熱可塑性ポリイミドが、以下の構造
【化２】
2013103500.tif 000002
のいずれかによってあらわされるものからなる群から選択され、式中、ｎおよびｍは、それぞれ、約５０〜約２，０００の繰り返し単位の数をあらわし、前記ポリベンズイミダゾールは、以下の構造
【化３】
2013103500.tif 000003
によってあらわされ、式中、ｎは、約３０〜約５００の繰り返し部分の数をあらわす、請求項１に記載のフューザー部材。
【請求項４】
前記ポリベンズイミダゾールが、以下の構造
【化４】
2013103500.tif 000004
によってあらわされ、式中、ｎは、約３０〜約５００の繰り返し部分の数をあらわす、請求項１に記載のフューザー部材。
【請求項５】
熱可塑性ポリイミド／ポリベンズイミダゾールブレンドを含み、４０００ＭＰａより大きいヤング弾性率、及び４００℃より高い分解開始温度を有する基材層と、
シリコーンおよびフルオロエラストマーからなる群から選択される材料を含む中間層と、
中間層の上に配置された、フルオロポリマーを含む剥離層と
を備える、フューザー部材。
【請求項６】
前記熱可塑性ポリイミドが、以下の構造
【化５】
2013103500.tif 000005
によってあらわされ、式中、Ｒが、約６〜約３６個の炭素原子を含むアリールであり、ｎは、約５０〜約２，０００の繰り返し単位の数である、請求項５に記載のフューザー部材。
【請求項７】
前記ポリベンズイミダゾールは、以下の構造
【化６】
2013103500.tif 000006
によってあらわされ、式中、ｎは、約３０〜約５００の繰り返し部分の数をあらわす、請求項５に記載のフューザー部材。
【手続補正書】
【提出日】平成27年10月15日(2015.10.15)
【手続補正１】
【補正対象書類名】特許請求の範囲
【補正対象項目名】全文
【補正方法】変更
【補正の内容】
【特許請求の範囲】
【請求項１】
複数のトランデューサを含むプリントヘッドのジェット積層体であって、
半導体基板の本体プレートと、
前記半導体基板本体プレートの上に位置するダイヤフラムと、
前記ダイヤフラムの上に位置するパターン化圧電層と、
前記パターン化圧電層の上に位置する第１パターン化導電層と、
前記複数のトランデューサの隣接するトランデューサ間に位置し、平坦な上面を有する誘電体層間層と、
前記誘電体層間層の前記平坦な上面に物理的に接触する第２パターン化導電層と、を含み、
前記ダイヤフラムは、前記複数のトランデューサの導電性下部電極を含み、前記パターン化圧電層は、前記複数のトランデューサに関する複数の圧電素子を含み、各圧電素子は、空間によって隣接する圧電素子と隔てられ、前記第１パターン化導電層は、前記複数のトランデューサに関する複数の上部電極を含み、
前記誘電体層間層は、前記ダイヤフラムと前記パターン化圧電層と物理的に接触し、前記ダイヤフラムから前記第１パターン化導電層の上面までの前記隣接する圧電素子間の空間を満たしており、且つ前記第１パターン化導電層の上面の一部を覆っており、
前記誘電体層間層の一部は、前記ダイヤフラムに対して垂直な方向で、前記第１パターン化導電層と前記第２パターン化導電層との間に位置し、
前記第２パターン化導電層は、
前記複数の上部電極の上に位置し、前記複数の上部電極に物理的且つ電気的に接触し、前記誘電体層間層の前記平坦な上面に物理的に接触している複数の第１パッドと、
前記誘電体層間層の前記平坦な上面に物理的に接触している前記複数の第１パッドに電気的に接触している複数の配線と、
前記複数の第１パッド及び前記複数の配線と電気的に接触しており、前記パターン化圧電層に対して側面に位置している複数の第２パッドと、
前記複数の第２パッドの各々に電気的に接触している特定用途向け集積回路（ＡＳＩＣ）と、を有する、プリントヘッドのジェット積層体。
【請求項２】
前記ダイヤフラムと前記半導体基板本体プレートとの間に位置するエッチング停止層を有する、請求項１に記載のプリントヘッドのジェット積層体。
【請求項３】
プリンタであって、
プリントヘッドのジェット積層体を含むプリントヘッドであって、前記プリントヘッドのジェット積層体が、
複数のトランデューサと、
半導体基板の本体プレートと、
前記半導体基板本体プレートの上に位置するダイヤフラムと、
前記ダイヤフラムの上に位置するパターン化圧電層と、
前記パターン化圧電層の上に位置する第１パターン化導電層と、
前記複数のトランデューサの隣接するトランデューサ間に位置し、平坦な上面を有する誘電体層間層と、
前記誘電体層間層の前記平坦な上面に物理的に接触する第２パターン化導電層と、を含み、
前記ダイヤフラムは、前記複数のトランデューサの導電性下部電極を含み、前記パターン化圧電層は、前記複数のトランデューサに関する複数の圧電素子を含み、各圧電素子は、空間によって隣接する圧電素子と隔てられ、前記第１パターン化導電層は、前記複数のトランデューサに関する複数の上部電極を含み、
前記誘電体層間層は、前記ダイヤフラムと前記パターン化圧電層と物理的に接触し、前記ダイヤフラムから前記第１パターン化導電層の上面までの前記隣接する圧電素子間の空間を満たしており、前記第１パターン化導電層の上面の一部を覆っており、
前記誘電体層間層の一部は、前記ダイヤフラムに対して垂直な方向で、前記第１パターン化導電層と前記第２パターン化導電層との間に位置し、
前記第２パターン化導電層は、
前記複数の上部電極の上に位置し、前記複数の上部電極に物理的且つ電気的に接触し、前記誘電体層間層の前記平坦な上面に物理的に接触している複数の第１パッドと、
前記誘電体層間層の前記平坦な上面に物理的に接触している前記複数の第１パッドに電気的に接触している複数の配線と、
前記複数の第１パッド及び前記複数の配線と電気的に接触しており、前記パターン化圧電層に対して側面に位置している複数の第２パッドと、
前記複数の第２パッドの各々に電気的に接触している特定用途向け集積回路（ＡＳＩＣ）と、を有する、プリントヘッドと、
前記プリントヘッドを収納するプリンタ収納室と、を含むプリンタ。
【請求項４】
前記プリントヘッドのジェット積層体は、前記ダイヤフラムと前記半導体基板本体プレートとの間に位置するエッチング停止層を有する、請求項３に記載のプリンタ。
【手続補正書】
【提出日】平成26年11月17日(2014.11.17)
【手続補正１】
【補正対象書類名】特許請求の範囲
【補正対象項目名】全文
【補正方法】変更
【補正の内容】
【特許請求の範囲】
【請求項１】
本体部材と、この本体部材の前面側を覆う前面扉と、この前面扉を開放操作するための鍵操作機構とを備える遊技機であって、
前記前面扉が、対向する一対の端縁部でそれぞれ軸支機構により遊技機本体側の部材に着脱可能に軸支され、
前記鍵操作機構を操作することにより、前記一対の軸支機構における軸支状態のうちのいずれか一方を軸として開閉可能に構成され、
前記開閉軸としたほうの軸支機構における軸支状態が解除されないようにロックするロック機構を備えることを特徴とする遊技機。
【請求項２】
前記軸支機構が、前記遊技機本体側の部材に配設された一対の作動片と、前記前面扉に配設された回転軸とを有して構成され、前記一対の作動片が、開閉可能に構成されて付勢手段で付勢されることにより通常は合わさって閉じた体勢に保持され、両作動片にはそれぞれ軸嵌合切欠が設けられ、両作動片が閉じるのにともない両軸嵌合切欠が一体となって軸挿通孔が形成されるように構成されていることを特徴とする、請求項１に記載の遊技機。
【請求項３】
前記鍵操作機構が、鍵を挿入して一方に回転させると、前記一対の軸支機構における軸支状態のうちのいずれか一方を解除することができ、鍵を挿入して他方に回転させると、前記一対の軸支機構における軸支状態のうちの他方を解除することができるように構成されていることを特徴とする、請求項１または請求項２に記載の遊技機。
【請求項４】
前記鍵の回転による動力が、線状部材を介して伝達されることにより、前記一対の軸支機構がそれぞれ駆動されるようになっていることを特徴とする、請求項３に記載の遊技機。
【手続補正書】
【提出日】平成27年4月13日(2015.4.13)
【手続補正１】
【補正対象書類名】特許請求の範囲
【補正対象項目名】全文
【補正方法】変更
【補正の内容】
【特許請求の範囲】
【請求項１】
ノルエチステロン、メドロキシプロゲステロン酢酸エステル、メチルテストステロン、ジドロゲステロン、エストラジオール、エチニルエストラジオール、レボノルゲストレル、プレグナンジオール、唾液腺ホルモン、ジエノゲストからなる群から選ばれる１以上のホルモン様物質を有効成分とする素錠の外側が、コーティング皮膜で覆われている口腔内崩壊錠剤であって、
該コーティング皮膜の最外層は、トレハロース及び／又はエリスリトール、並びに、水不溶性無機塩類、ケイ酸化合物、水酸化アルミニウム、酸化マグネシウム、酸化亜鉛、ステアリン酸塩及びフマル酸ステアリルナトリウムからなる群から選ばれる少なくとも１種の平均粒径が０．１〜５０μｍの水不溶性化合物を含有する、口腔内崩壊錠剤。
【請求項２】
滑り角度が１５度以下である、請求項１に記載の口腔内崩壊錠剤。
【請求項３】
崩壊時間が４０秒以内である、請求項１又は２に記載の口腔内崩壊錠剤。
【請求項４】
前記コーティング皮膜を施した錠剤は、素錠と比較して、崩壊時間が２０秒以上遅延していない、請求項１ないし３のいずれか１項に記載の口腔内崩壊錠剤。
【請求項５】
硬度が、４０ニュートン（Ｎ）以上である、請求項１ないし４のいずれか１項に記載の口腔内崩壊錠剤。
【請求項６】
前記有効成分がジエノゲストである、請求項１ないし５のいずれか１項に記載の口腔内崩壊錠剤。
【請求項７】
前記コーティング皮膜の最外層が、さらに、酸化チタン、酸化鉄（黒色酸化鉄）、三二酸化鉄（赤色酸化鉄）、黄色三二酸化鉄及び酸化亜鉛からなる群から選ばれる少なくとも１種の水不溶性無機粒子、及び、有機結合剤、水溶性高分子及び崩壊剤からなる群から選ばれる少なくとも１種の有機化合物を含有する請求項１ないし６のいずれか１項に記載の口腔内崩壊錠剤。
【手続補正２】
【補正対象書類名】明細書
【補正対象項目名】００１１
【補正方法】変更
【補正の内容】
【００１１】
（３−８）水不溶性無機化合物及び／又は水不溶性脂肪酸、その塩またはそのエステルの平均粒径が１〜２０μｍの範囲にある上記（３−１）〜（３−７）のいずれかに記載のコーティング錠剤。
（３−９）水不溶性無機化合物及び／又は水不溶性脂肪酸、その塩またはそのエステルの平均粒径が５〜１０μｍの範囲にある上記（３−８）に記載のコーティング錠剤。
（３−１０）錠剤の最外層として５０μｍ以下の厚みの皮膜を形成するための上記（３−１）〜（３−９）のいずれかに記載のコーティング錠剤。
（３−１１）錠剤の最外層として２０μｍ以下の厚みの皮膜を形成するための上記（３−１０）に記載のコーティング錠剤。
（３−１２）有機結合剤及び/又は水溶性高分子を含有しない上記（３−１）〜（３−１１）のいずれかに記載のコーティング錠剤。
（３−１３）さらに、酸化チタン、酸化鉄（黒色酸化鉄）、三二酸化鉄（赤色酸化鉄）、黄色三二酸化鉄及び酸化亜鉛からなる群から選ばれる少なくとも１種の水不溶性無機粒子、及び有機結合剤、水溶性高分子及び崩壊剤からなる群から選ばれる少なくとも１種の有機化合物を含有する上記（３−１）〜（３−１１）のいずれかに記載のコーティング錠剤。
（３−１４）後述の試験例１の方法で測定した崩壊時間が６０秒以下である上記（３−１）〜（３−１３）のいずれかに記載のコーティング錠剤。尚、本発明において、崩壊時間とは、後述の試験例１の方法で測定した崩壊時間をいう。
（３−１５）崩壊時間が４０秒以下である上記（３−１４）に記載のコーティング錠剤。
（３−１６）崩壊時間が２０秒以下である上記（３−１４）に記載のコーティング錠剤。
（３−１７）崩壊時間が、後述の試験例１の方法で測定した素錠の崩壊時間の２倍以下である上記（３−１４）〜（３−１６）のいずれかに記載のコーティング錠剤。
【手続補正３】
【補正対象書類名】明細書
【補正対象項目名】００１２
【補正方法】変更
【補正の内容】
【００１２】
（３−１８）コーティング錠剤の崩壊時間が、素錠の崩壊時間に比べて２０秒以上遅延していない上記（３−１４）〜（３−１６）のいずれかに記載のコーティング錠剤。
（３−１９）コーティング錠剤の崩壊時間が、素錠の崩壊時間に比べて１０秒以上遅延していない上記（３−１８）に記載のコーティング錠剤。
（３−２０）後述の試験例２の方法で測定した硬度が３０ニュートン（Ｎ）以上である上記（３−１）〜（３−１９）のいずれかに記載のコーティング錠剤。尚、本発明において、硬度とは、後述の試験例２の方法で測定した硬度をいう。
（３−２１）硬度が４０Ｎ以上である上記（３−２０）に記載のコーティング錠剤。
（３−２２）硬度が５０Ｎ以上である上記（３−２０）に記載のコーティング錠剤。
（３−２３）硬度が６０Ｎ以上である上記（３−２０）に記載のコーティング錠剤。
（３−２４）コーティング錠剤の硬度と後述の試験例２の方法で測定した素錠の硬度との差の絶対値が１０Ｎ以内である上記（３−１）〜（３−２３）のいずれかに記載のコーティング錠剤。
（３−２５）コーティング錠剤の硬度が素錠の硬度以上である上記（３−１）〜（３−２３）のいずれかに記載のコーティング錠剤。
（３−２６）後述の試験例３の方法で測定した滑り角度が１５度以下である上記（３−１）〜（３−２５）のいずれかに記載のコーティング錠剤。尚、本発明において、滑り角度とは、後述の試験例３の方法で測定した滑り角度をいう。
（３−２７）滑り角度が１４度以下である上記（３−２６）に記載のコーティング錠剤。
（３−２８）コーティング錠剤の滑り角度と後述の試験例３の方法で測定した素錠の滑り角度との差の絶対値が１度以内である上記（３−１）〜（３−２７）のいずれかに記載のコーティング錠剤。
（３−２９）コーティング錠剤の滑り角度が素錠の滑り角度以下である上記（３−１）〜（３−２８）のいずれかに記載のコーティング錠剤。
（３−３０）後述の試験例４の落下試験での変化の程度が、変化なしまたはごく微小のつぶれ（目視では確認できないが実体顕微鏡で確認できる）である上記（３−１）〜（３−２９）のいずれかに記載のコーティング錠剤。
（３−３１）後述の試験例５で確認した外観性の程度が、光沢感があり非常に滑らかまたは滑らかである上記（３−１）〜（３−３０）のいずれかに記載のコーティング錠剤。
【手続補正書】
【提出日】平成27年6月8日(2015.6.8)
【手続補正１】
【補正対象書類名】特許請求の範囲
【補正対象項目名】全文
【補正方法】変更
【補正の内容】
【特許請求の範囲】
【請求項１】
被験体における補体活性化に関与する眼疾患を予防又は改善するための組成物であって、該組成物は、有効量の第二経路の補体阻害剤を含み、該阻害剤は、該第二経路の成分に特異的に結合する抗体又はその結合フラグメントであり、そして、該第二経路の成分が、Ｄ因子である、組成物。
【請求項２】
前記眼疾患が、黄斑変性症、糖尿病性網膜症、又は眼球血管形成である、請求項１に記載の組成物。
【請求項３】
前記被験体が、脈絡膜、網膜色素上皮、又は網膜組織に影響を及ぼす眼球血管新生の阻害を必要とする、請求項１に記載の組成物。
【請求項４】
前記抗体の結合フラグメントが、Ｆａｂ、Ｆａｂ’、Ｆ（ａｂ’）２、Ｆｖ、単鎖Ｆｖ、ダイアボディまたは単一ドメイン抗体を含む、請求項１〜３の何れか１項に記載の組成物。
【請求項５】
前記抗体がモノクローナル抗体である、請求項１〜３の何れか１項に記載の組成物。
【請求項６】
前記抗体が、キメラ抗体、多特異性抗体、脱免疫化（ｄｅｉｍｍｕｎｉｚｅｄ）抗体、ヒト化抗体、霊長類化抗体、又はヒト抗体である、請求項１〜３の何れか１項に記載の組成物。
【請求項７】
前記抗体またはその結合フラグメントが、治療的部分を含み、該治療的部分が、細胞毒、治療剤又は放射性金属イオンであり、該細胞毒が、パクリタキセル、サイトカラシンＢ、グラミシジンＤ、臭化エチジウム、エメシン、マイトマイシン、エトポシド、テノポシド、ビンクリスチン、ビンブラスチン、コルヒチン、ドキソルビシン、ダウノルビシン、ジヒドロキシアントラシンジオン、ミトキサントロン、ミトラマイシン、アクチノマイシンＤ、１−デヒドロテストステロン、グルココルチコイド、プロカイン、テトラカイン、リドカイン、プロプラノロール又はピューロマイシンであり、そして、該治療剤が、代謝拮抗剤、アルキル化剤、アントラサイクリン、抗生物質又は抗有糸分裂剤である、請求項１〜６の何れか１項に記載の組成物。
【請求項８】
前記抗体が、ＡＴＣＣに寄託され、ＨＢ１２４７６と指定されるハイブリドーマから生成されるモノクローナル抗体１６６−３２である、請求項１に記載の組成物。
【請求項９】
前記抗体が、ＡＴＣＣに寄託され、ＨＢ１２４７６と指定されるハイブリドーマから生成されるモノクローナル抗体１６６−３２と同じエピトープに特異的に結合する、請求項１に記載の組成物。
【請求項１０】
前記抗体が、ＡＴＣＣに寄託され、ＨＢ１２４７６と指定されるハイブリドーマから生成されるモノクローナル抗体１６６−３２に由来するヒト化モノクローナル抗体である、請求項１に記載の組成物。
【請求項１１】
非経口投与、皮内投与、筋肉内投与、腹腔内投与、静脈内投与、皮下投与、鼻腔内投与、経口投与、腸内投与、局所投与、髄腔内投与、脳室内投与、硬膜外投与、吸入、生体適合性もしくは生体分解性の持続放出インプラント、または移植された注入ポンプによって投与されることを特徴とする、請求項１〜１０の何れか１項に記載の組成物。
【請求項１２】
局所的に投与されることを特徴とする、請求項１〜１０の何れか１項に記載の組成物。
【請求項１３】
眼内投与、硝子体内投与又は結膜下投与によって投与されることを特徴とする、請求項１〜１０の何れか１項に記載の組成物。
【請求項１４】
洗眼液、眼軟膏、アイシールド、又は点眼液に存在する、請求項１〜１０の何れか１項に記載の組成物。
【請求項１５】
免疫調節化合物、免疫抑制化合物、抗炎症化合物または抗血管形成化合物と組み合わせて投与されることを特徴とする、請求項１〜１４の何れか１項に記載の組成物。
【請求項１６】
抗血管形成化合物と組み合わせて投与されることを特徴とする、請求項１５に記載の組成物。
【請求項１７】
ステロイドと組み合わせて投与されることを特徴とする、請求項１〜１４の何れか１項に記載の組成物。
【請求項１８】
前記補体阻害剤の用量が、前記被験体の体重の０．１ｍｇ／ｋｇ〜１００ｍｇ／ｋｇである、請求項１〜１７の何れか１項に記載の組成物。
【請求項１９】
被験体における補体活性化に関与する眼疾患を予防又は改善するための組成物であって、該組成物は、有効量の第二経路の阻害剤を含み、該阻害剤は、Ｄ因子に特異的に結合する抗体又はその結合フラグメントである、組成物。
【請求項２０】
被験体における補体活性化に関与する眼疾患を予防又は改善するための組成物であって、該組成物は、有効量の第二経路の阻害剤を含み、該阻害剤は、ＡＴＣＣに寄託され、ＨＢ１２４７６と指定されるハイブリドーマから生成されるモノクローナル抗体１６６−３２又はその結合フラグメントである、組成物。
【請求項２１】
被験体における補体活性化に関与する眼疾患を予防又は改善するための組成物であって、該組成物は、有効量の第二経路の阻害剤を含み、該阻害剤は、ＡＴＣＣに寄託され、ＨＢ１２４７６と指定されるハイブリドーマから生成されるモノクローナル抗体１６６−３２と同じエピトープに特異的に結合する抗体又はその結合フラグメントである、組成物。
【請求項２２】
被験体における補体活性化に関与する眼疾患を予防又は改善するための組成物であって、該組成物は、有効量の第二経路の阻害剤を含み、該阻害剤は、ＡＴＣＣに寄託され、ＨＢ１２４７６と指定されるハイブリドーマから生成されるモノクローナル抗体１６６−３２に由来するヒト化モノクローナル抗体又はその結合フラグメントである、組成物。
【請求項２３】
前記眼疾患が、黄斑変性症、糖尿病性網膜症、又は眼球血管形成である、請求項１９〜２２の何れか１項に記載の組成物。
【手続補正書】
【提出日】平成27年5月22日(2015.5.22)
【手続補正１】
【補正対象書類名】明細書
【補正対象項目名】０００５
【補正方法】変更
【補正の内容】
【０００５】
ところで、上記したスロットマシンのように、変則押しが行われたことでペナルティを課すようにした場合には、通常は変則押しを行わないように注意して遊技を行うが、まれに悪意を持って変則押しを行ってからその台での遊技を終了する遊技者もいる。このような場合には、ペナルティが課された状態のスロットマシンが空き台となってしまうという問題がある。
【手続補正２】
【補正対象書類名】明細書
【補正対象項目名】０００６
【補正方法】変更
【補正の内容】
【０００６】
本発明の目的は、複数の図柄を変動表示可能な複数の変動表示部と、各変動表示部に対応して設けられる複数の停止操作部と、複数の変動表示部の変動表示を伴うゲームの実行毎に役の内部抽選を行う抽選手段と、を備え、複数の停止操作部の操作態様に基づき内部抽選の結果に応じた図柄組合せ態様が導出され得るように複数の変動表示部の停止制御を行うスロットマシンにおいて、ペナルティが課された状態のスロットマシンが空き台となってしまうことを抑制することである。
【手続補正３】
【補正対象書類名】明細書
【補正対象項目名】０００７
【補正方法】変更
【補正の内容】
【０００７】
以上の課題を解決するため、請求項１に記載の発明は、複数の図柄を変動表示可能な複数の変動表示部と、各変動表示部に対応して設けられる複数の停止操作部と、前記複数の変動表示部の変動表示を伴うゲームの実行毎に役の内部抽選を行う抽選手段と、を備え、
前記複数の停止操作部の操作態様に基づき前記内部抽選の結果に応じた図柄組合せ態様が導出され得るように複数の変動表示部の停止制御を行うスロットマシンにおいて、
遊技者に有利となる停止操作に関するアシスト情報を報知するアシスト状態を実行可能なアシスト情報報知手段と、
前記アシスト状態が発生されるまでの所定回数のゲームにおいて、該アシスト状態の発生を示唆する前兆演出を実行可能な前兆演出実行手段と、
予め定められた変則操作順で前記停止操作部が操作される変則停止操作の発生を判定する変則停止操作判定手段と、
前記変則停止操作の発生に基づき、遊技者に不利となるペナルティ状態を発生させることが可能なペナルティ状態発生手段と、を備え、
前記前兆演出実行手段は、前記ペナルティ状態が発生した場合でも前記前兆演出を実行するゲーム数の更新を行うことを特徴とする。
【手続補正４】
【補正対象書類名】明細書
【補正対象項目名】０００８
【補正方法】変更
【補正の内容】
【０００８】
請求項１に記載の発明によれば、ペナルティ状態が発生した場合でもアシスト状態の発生を示唆する前兆演出を実行するゲーム数の更新を行うので、ペナルティが課された状態のスロットマシンが空き台となってしまうことを抑制することができる。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】変更
【補正の内容】
【００２３】
本発明によれば、ペナルティ状態が発生した場合でもアシスト状態の発生を示唆する前兆演出を実行するゲーム数の更新を行うので、ペナルティが課された状態のスロットマシンが空き台となってしまうことを抑制することができる。
【手続補正２０】
【補正対象書類名】特許請求の範囲
【補正対象項目名】全文
【補正方法】変更
【補正の内容】
【特許請求の範囲】
【請求項１】
複数の図柄を変動表示可能な複数の変動表示部と、各変動表示部に対応して設けられる複数の停止操作部と、前記複数の変動表示部の変動表示を伴うゲームの実行毎に役の内部抽選を行う抽選手段と、を備え、
前記複数の停止操作部の操作態様に基づき前記内部抽選の結果に応じた図柄組合せ態様が導出され得るように複数の変動表示部の停止制御を行うスロットマシンにおいて、
遊技者に有利となる停止操作に関するアシスト情報を報知するアシスト状態を実行可能なアシスト情報報知手段と、
前記アシスト状態が発生されるまでの所定回数のゲームにおいて、該アシスト状態の発生を示唆する前兆演出を実行可能な前兆演出実行手段と、
予め定められた変則操作順で前記停止操作部が操作される変則停止操作の発生を判定する変則停止操作判定手段と、
前記変則停止操作の発生に基づき、遊技者に不利となるペナルティ状態を発生させることが可能なペナルティ状態発生手段と、を備え、
前記前兆演出実行手段は、前記ペナルティ状態が発生した場合でも前記前兆演出を実行するゲーム数の更新を行うことを特徴とするスロットマシン。
【手続補正書】
【提出日】平成27年4月10日(2015.4.10)
【手続補正１】
【補正対象書類名】明細書
【補正対象項目名】０００１
【補正方法】変更
【補正の内容】
【０００１】
本発明は、遊技演出音を出力する遊技機に関する。
【手続補正２】
【補正対象書類名】明細書
【補正対象項目名】０００２
【補正方法】変更
【補正の内容】
【０００２】
従来の遊技機では、遊技者による不正行為が問題となっている。例えば筐体枠の隙間から内部にピアノ線等の異物を侵入させ、内部の部品や機器を損壊したり、景品としての遊技球を不正に入手したりすることが行われている。その他にも、不正に磁場や電波を発生させて遊技機内部のセンサや電子機器に悪影響を与えて遊技球を多量に入手することも行われている。
【手続補正３】
【補正対象書類名】明細書
【補正対象項目名】０００３
【補正方法】変更
【補正の内容】
【０００３】
そこで、これらの不正行為を防止するため、不正行為もしくは通常の遊技では発生しない状態（エラー）を検出すると、音声演出を行っているスピーカにより警告音を発し、付近の遊技者や遊技店の店員に報知することによって、不正行為の早期発見を可能とし、不正行為を未然に防止する遊技機が提案されている（例えば、特許文献１）。
【手続補正４】
【補正対象書類名】明細書
【補正対象項目名】０００４
【補正方法】変更
【補正の内容】
【０００４】
【特許文献１】特開２００９−１１８９５８号公報
【手続補正５】
【補正対象書類名】明細書
【補正対象項目名】０００５
【補正方法】変更
【補正の内容】
【０００５】
従来の遊技機では、好みの音量で遊技演出音を楽しむことができなかった。
【手続補正６】
【補正対象書類名】明細書
【補正対象項目名】０００６
【補正方法】変更
【補正の内容】
【０００６】
本発明は上記の課題に鑑みてなされたもので、好みの音量で遊技演出音を楽しむことができるようにすることにある。
【手続補正７】
【補正対象書類名】明細書
【補正対象項目名】０００７
【補正方法】変更
【補正の内容】
【０００７】
上記課題を解決するため、請求項１に記載の発明は、
遊技演出音を出力可能なスピーカと、
前記スピーカから出力される遊技演出音の音量を、所定の設定操作により変更可能な音量設定手段と、
遊技の進行を管理する遊技制御手段と、
前記遊技制御手段からの制御指令信号に基づいて、前記スピーカに出力する遊技演出音の制御を行う演出制御手段と、を備えたことを特徴とする。
【手続補正８】
【補正対象書類名】明細書
【補正対象項目名】０００８
【補正方法】変更
【補正の内容】
【０００８】
ここで、「遊技制御手段」と「演出制御手段」は、それぞれＣＰＵとＣＰＵが実行するプログラムとによって構成することができる。
【手続補正９】
【補正対象書類名】明細書
【補正対象項目名】０００９
【補正方法】変更
【補正の内容】
【０００９】
請求項１に記載の発明によれば、音量設定手段を備えるので、好みの音量で遊技演出音を楽しむことができる。
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】変更
【補正の内容】
【００１８】
本発明によれば、スピーカから出力される遊技演出音の音量を、所定の設定操作により変更可能な音量設定手段を備えているため、好みの音量で遊技演出音を楽しむことができる。
【手続補正１９】
【補正対象書類名】特許請求の範囲
【補正対象項目名】全文
【補正方法】変更
【補正の内容】
【特許請求の範囲】
【請求項１】
遊技演出音を出力可能なスピーカと、
前記スピーカから出力される遊技演出音の音量を、所定の設定操作により変更可能な音量設定手段と、
遊技の進行を管理する遊技制御手段と、
前記遊技制御手段からの制御指令信号に基づいて、前記スピーカに出力する遊技演出音の制御を行う演出制御手段と、を備えたことを特徴とする遊技機。
【手続補正書】
【提出日】平成27年3月26日(2015.3.26)
【手続補正１】
【補正対象書類名】特許請求の範囲
【補正対象項目名】全文
【補正方法】変更
【補正の内容】
【特許請求の範囲】
【請求項１】
遊技を統括的に制御する遊技制御手段と、該遊技制御手段からの演出制御指令に対応して画像表示装置及び効果音出力装置を含む複数の演出装置を制御する演出制御手段と、遊技者が操作可能な操作手段と、を備える遊技機において、
前記演出制御手段は、
前記遊技制御手段からの演出制御指令に基づいて、前記複数の演出装置を統括的に制御する演出統括制御手段と、
前記演出統括制御手段からの画像処理指令に基づいて、前記画像表示装置に表示される画像を制御する画像処理手段と、
前記演出統括制御手段からの効果音出力指令に基づいて、前記効果音出力装置を制御する効果音処理手段と、
を備え、
操作有効期間中における前記操作手段の操作に対応する画像を表示させる前記画像処理指令を出力するタイミングから、所定の遅れ時間の計時を開始し、前記遅れ時間が経過した後に、該画像処理指令に対応する効果音の前記効果音出力指令を出力することを特徴とする遊技機。
【手続補正２】
【補正対象書類名】明細書
【補正対象項目名】０００８
【補正方法】変更
【補正の内容】
【０００８】
本発明は、遊技を統括的に制御する遊技制御手段と、該遊技制御手段からの演出制御指令に対応して画像表示装置及び効果音出力装置を含む複数の演出装置を制御する演出制御手段と、遊技者が操作可能な操作手段と、を備える遊技機において、前記演出制御手段は、前記遊技制御手段からの演出制御指令に基づいて、前記複数の演出装置を統括的に制御する演出統括制御手段と、前記演出統括制御手段からの画像処理指令に基づいて、前記画像表示装置に表示される画像を制御する画像処理手段と、前記演出統括制御手段からの効果音出力指令に基づいて、前記効果音出力装置を制御する効果音処理手段と、を備え、操作有効期間中における前記操作手段の操作に対応する画像を表示させる前記画像処理指令を出力するタイミングから、所定の遅れ時間の計時を開始し、前記遅れ時間が経過した後に、該画像処理指令に対応する効果音の前記効果音出力指令を出力することを特徴とする。
【手続補正３】
【補正対象書類名】明細書
【補正対象項目名】０００９
【補正方法】変更
【補正の内容】
【０００９】
本発明によれば、画像表示タイミングと効果音出力タイミングとを同期させることができる。